(57)【要約】【課題】操作部材周りの構造を簡素化できる電子機器を提供する。【解決手段】操作バー４０は被支持部４１と、被支持部４１から延伸し且つ弾性変形可能な片持ち梁状の延伸部４２Ａを有している。延伸部４２Ａは、ユーザが押すための被押圧部４３Ａを有している。被押圧部４３Ａは被支持部４１から離れた位置に位置し、第１被押圧部４３Ａが後方に押されたときに第１延伸部４２Ａの弾性力により初期位置に向けて付勢される。被押圧部４３Ａの後側には、被押圧部４３Ａによって押されて電子機器１に対して予め規定された動きをさせる回路基板４が配置されている。【選択図】図３
2013222774.tif 000002
【特許請求の範囲】
【請求項１】
被支持部と、前記被支持部から第１の方向に延伸し且つ弾性変形可能な片持ち梁状の延伸部とを有する操作部材と、
前記延伸部に設けられるユーザが押すための被押圧部であって、前記被支持部から離れた位置に位置し、前記第１の方向に対して交差する方向である第２の方向に押されたときに前記延伸部の弾性力により初期位置に向けて付勢される被押圧部と、
前記被押圧部によって押されて電子機器に対して予め規定された動きをさせる、前記被押圧部に対して前記第２の方向に位置する部材と、
を備えることを特徴とする電子機器。
【請求項２】
請求項１に記載の電子機器において、
前記延伸部と前記被支持部は前記電子機器の外面において露出している、
ことを特徴とする電子機器。
【請求項３】
請求項１又は２に記載の電子機器において、
前記操作部材は、それぞれ前記延伸部として機能し、互いに異なる方向に延びる２つの延伸部を含み、
前記操作部材は、それぞれ前記被押圧部として機能し、前記２つの延伸部にそれぞれ設けられる２つの被押圧部を含んでいる、
ことを特徴とする電子機器。
【請求項４】
請求項３に記載の電子機器において、
前記２つの延伸部は前記被支持部から互いに反対方向に延び、
前記電子機器は、前記２つの延伸部に沿って形成され、前記第２の方向とは反対方向への前記２つの延伸部の動きを規制するストッパ部を有する、
ことを特徴とする電子機器。
【請求項５】
請求項１に記載の電子機器において、
前記延伸部は、前記第２の方向に突出する突出部を有し、
前記電子機器は、前記延伸部に対して第２の方向に位置する壁部であって、前記突出部が嵌る穴が形成され、且つ前記延伸部から離れて位置する壁部を有している、
ことを特徴とする電子機器。
【請求項６】
請求項５に記載の電子機器において、
前記電子機器は、前記被支持部に対して第２の方向に位置し、前記第２の方向への前記被支持部の動きを規制する支持部を有し、
前記操作部材は、前記第１の方向と前記第２の方向の双方に直交する第３の方向に前記延伸部から突出する被ストッパ部を有し、
前記電子機器は、前記被ストッパ部に対して前記第２の方向とは反対方向に位置し、当該反対方向への前記延伸部の動きを規制するストッパ部を有し、
前記被ストッパ部と前記ストッパ部の少なくとも一方は、前記操作部材の前記被支持部に対応する部分には形成されていない、
ことを特徴とする電子機器。
【発明の詳細な説明】
【技術分野】
【０００１】
本発明は電子機器を操作するための操作部材に関する。
【背景技術】
【０００２】
下記特許文献１に例示されるように、従来、ユーザによって操作される操作部材として、電源ボタンと光ディスクを取り出すためのイジェクトボタンとを備える電子機器が利用されている。ボタンの裏側には、ボタンによって押されてオン／オフ状態が切り換えられるスイッチが配置されている。また、ボタンの裏側には、ボタンを初期位置に向けて付勢するばねやゴムなどの弾性部材が配置されている。
【先行技術文献】
【特許文献】
【０００３】
【特許文献１】米国特許出願公開第２０１０／０２５４１０２号明細書
【発明の概要】
【発明が解決しようとする課題】
【０００４】
上記従来の構造はボタンの裏側に弾性部材を必要とするので、構造を簡素化しにくいという問題がある。
【０００５】
本発明の目的は、操作部材周りの構造を簡素化できる電子機器を提供することにある。
【課題を解決するための手段】
【０００６】
本発明に係る電子機器は、被支持部と前記被支持部から第１の方向に延伸し且つ弾性変形可能な片持ち梁状の延伸部とを有する操作部材と、前記延伸部に設けられるユーザが押すための被押圧部であって、前記被支持部から離れた位置に位置し、前記第１の方向に対して交差する方向である第２の方向に押されたときに前記延伸部の弾性力により初期位置に向けて付勢される被押圧部と、前記被押圧部によって押されて電子機器に対して予め規定された動きをさせる、前記被押圧部に対して第２の方向に位置する部材と、を備える。
【０００７】
本発明によれば、操作部材周りの構造を簡素化できる。
【図面の簡単な説明】
【０００８】
【図１】本発明の実施形態に係る電子機器の斜視図である。
【図２】電子機器の要部を示す分解斜視図である。
【図３】電子機器の要部を示す分解斜視図であり、この図では操作バーは下ハウジングから取り外されている。
【図４】操作バーの後側を示す斜視図である。
【図５】操作バーの下側を示す斜視図である。
【図６】操作バーが下ハウジングに取り付けられた状態を示す平面図である。
【図７】図６に示すＶＩＩ−ＶＩＩ線を切断面とする操作バーの断面図である。
【図８】図６に示すＶＩＩＩ−ＶＩＩＩ線での断面図である。
【図９】操作バーの取り付け工程を説明するための図である。
【図１０】操作バーの取り付け工程を説明するための図である。
【図１１】操作バーの取り付け工程を説明するための図である。
【発明を実施するための形態】
【０００９】
以下、本発明の一実施形態について図面を参照しながら説明する。図１は本発明の実施形態に係る電子機器１の斜視図である。図２は電子機器１の要部を示す分解斜視図である。以下の説明においては、これらの図に示すＸ１及びＸ２をそれぞれ左方向及び右方向とし、Ｙ１及びＹ２をそれぞれ前方及び後方とし、Ｚ１及びＺ２をそれぞれ上方及び下方とする。
【００１０】
電子機器１はハウジング２０を含んでいる。ハウジング２０は、図２に示すように、電子機器１が備える回路基板（不図示）などの上側を覆う上ハウジング２１と、回路基板などの下側に配置される下ハウジング２２とを含んでいる。上ハウジング２１と下ハウジング２２は上下方向において組み合わされて、ハウジング２０を構成する。
【００１１】
この例の電子機器１は、図１に示すように、上部１Ａと下部１Ｂとを有している。上部１Ａは略楕円柱であり、その軸線は左右方向に沿っている。電子機器１は、後において詳説する、左右方向に細長い操作バー４０を有している（図２参照）。操作バー４０は電子機器１の最前部に配置されている。具体的には、操作バー４０は、楕円柱状の上部１Ａの最前部に位置し、側面視では楕円の長軸Ａの端部に位置している。操作バー４０をこのような位置に配置することにより、ユーザは容易に操作バー４０（後述する被押圧部４３Ａ，４３Ｂ）を押すことができる。すなわち、ユーザが被押圧部４３Ａ，４３Ｂを押すときに、指が電子機器１の他の部分に触れ難くなる。この例では、電子機器１の上部１Ａの外形（すなわち楕円柱）に合わせて、上ハウジング２１と下ハウジング２２は前方に向かって互いに接近するように湾曲している。操作バー４０は上ハウジング２１の前縁と下ハウジング２２の前縁との間に配置されている。
【００１２】
電子機器１は、上ハウジング２１上に配置され電子機器１の上面を構成するカバー１１を有している（図１参照）。電子機器１は、光ディスクなどの記録メディアに格納されたプログラムを実行したり、記録メディアに格納された動画像や音声を再生するエンタテインメント装置である。上ハウジング２１には記録メディアを配置するための凹部であるメディア収容部が形成されており、カバー１１はメディア収容部２１ａを覆っている。この例のカバー１１は左右方向にスライド可能なカバーであり、メディア収容部２１ａを覆う閉位置（図１（ａ）に示す位置）と、メディア収容部２１ａを露出させる開位置との間で移動できる。
【００１３】
図２に示すように、電子機器１は、ハウジング２０の内側に、作動部材３を有している。作動部材３は、例えば、カバー１１を動かす機構（不図示）を通してカバー１１と繋がっている。カバー１１は作動部材３に連動して閉位置から開位置に移動する。作動部材３は操作バー４０の後側に配置されている。作動部材３は操作バー４０により後方に押され、その結果、カバー１１は閉位置から開位置に移動する。
【００１４】
図３は電子機器１の要部を示す分解斜視図であり、この図では操作バー４０及び後述する回路基板４は下ハウジング２２から取り外されている。図４及び図５は操作バー４０の斜視図であり、図４は操作バー４０の後側を示し、図５は操作バー４０の下側を示している。図６は操作バー４０が下ハウジング２２に取り付けられた状態を示す平面図である。図７は図６に示すＶＩＩ−ＶＩＩ線での断面図であり、図８は図６に示すＶＩＩＩ−ＶＩＩＩ線での断面図である。
【００１５】
図３に示すように、操作バー４０は被支持部４１と、被支持部４１から延伸する第１延伸部４２Ａを有している。第１延伸部４２Ａは片持ち梁状である。すなわち、第１延伸部４２Ａの一方の端部（この例では被支持部４１）は固定端であり、他方の端部は自由端である。第１延伸部４２Ａは被支持部４１を固定点として弾性変形可能である。すなわち、被支持部４１を固定点として弾性的に湾曲可能である。この例では、第１延伸部４２Ａは被支持部４１から右方向に直線的に延伸し、後方に湾曲可能となっている。
【００１６】
第１延伸部４２Ａは、被支持部４１から離れた位置に、ユーザが押すための第１被押圧部４３Ａを有している。第１被押圧部４３Ａは、第１延伸部４２Ａの延伸方向に対して交差する方向、より具体的には直交する方向に押される。この例では、第１被押圧部４３Ａは第１延伸部４２Ａの右端部に位置し、ユーザによって後方に押される。第１被押圧部４３Ａが押されたときに第１延伸部４２Ａは湾曲し、第１被押圧部４３Ａは第１延伸部４２Ａの弾性力により初期位置（押される前の位置）に付勢される。ユーザが第１被押圧部４３Ａの押圧を解除すると、第１延伸部４２Ａは直線形状に復帰し、第１被押圧部４３Ａは初期位置に戻る。なお、操作バー４０は例えばプラスチックなどの樹脂により一体的に成型されている。
【００１７】
第１被押圧部４３Ａの後側には、第１被押圧部４３Ａによって押されて電子機器１に対して予め規定された動きをさせる部材が配置される。この例では、図２に示すように、第１被押圧部４３Ａの後側には回路基板４が配置されている。回路基板４は、その前面が第１被押圧部４３Ａに向くように配置されている。回路基板４の前面にはスイッチ（具体的にはタクトスイッチ）４ａが実装されている（図３参照）。スイッチ４ａは、例えば電子機器１の電源をオン／オフするスイッチである。スイッチ４ａは操作バー４０によって押され、電子機器１の電源をオン／オフする。
【００１８】
第１被押圧部４３Ａと回路基板４との間にはクリアランスが設けられている。この例では、図４に示すように、第１被押圧部４３Ａは、その後側に、後方に突出する大凸部４３ａを有している。大凸部４３ａの端面には、スイッチ４ａよりも小さな小凸部４３ｂを有している。小凸部４３ｂとスイッチ４ａとの間にクリアランスが設けられている。したがって、ユーザが第１被押圧部４３Ａを押すとき、最初は第１延伸部４２Ａの弾性力のみに起因する反力が発生する。その後、小凸部４３ｂがスイッチ４ａにあたったとき、ユーザは、第１延伸部４２Ａの弾性力と、スイッチ４ａが有する弾性力の双方に起因する反力を受ける。このように反力の大きさが変化するため、適切な量だけ第１被押圧部４３Ａが押されたことがユーザによって認識され易くなる。なお、第１被押圧部４３Ａと回路基板４との間には、第１被押圧部４３Ａを初期位置に戻すためのばねやゴムなど、第１延伸部４２Ａとは別の弾性体は設けられていない。
【００１９】
図３に示すように、回路基板４の前面にはさらにＬＥＤ（Ｌｉｇｈｔ  Ｅｍｉｔｔｉｎｇ  Ｄｉｏｄｅ）４ｂが実装されている。ＬＥＤ４ｂは電子機器１の動作状態を示すインジケータであり、この例では電子機器１の電源のオン／オフ状態を示す。図４に示すように、第１被押圧部４３Ａには、ＬＥＤ４ｂの光を電子機器１の前側から見えるようにするための導光路４３ｃが形成されている。この例の導光路４３ｃはＬＥＤ４ｂに向かって開いた凹部である。図７に示すように、導光路４３ｃには、光透過性を有する材料、例えば透明或いは白濁した樹脂からなる導光部材４４が嵌められ、導光部材４４の後面はＬＥＤ４ｂに対向している。導光部材４４の前部４４ａは略柱状であり、導光路４３ｃの前部４３ｄに嵌められている。この例の操作バー４０は二色成型により成型され、その前部４０Ａ（図３及び図７差参照）は光透過性を有する材料で成型され、その後部４０Ｂは光透過性を有していない材料で成型されている。導光路４３ｃの前部４３ｄは操作バー４０の前部４０Ａに位置している。そのため、ユーザは、導光部材４４に進入したＬＥＤ４ｂの光を、操作バー４０の前部４０Ａを通して見ることができる。なお、導光路４３ｃは第１被押圧部４３Ａを貫通する穴でもよい。
【００２０】
図３に示すように、操作バー４０は被支持部４１から延伸する第２延伸部４２Ｂをさらに有している。第２延伸部４２Ｂも、第１延伸部４２Ａと同様に、片持ち梁状であり、弾性変形可能である。すなわち、第２延伸部４２Ｂは被支持部４１を固定点として弾性的に後方に湾曲可能である。第２延伸部４２Ｂは、第１延伸部４２Ａとは反対方向に延伸している。この例では、第２延伸部４２Ｂは左方向に直線的に延伸している。
【００２１】
第２延伸部４２Ｂは、被支持部４１から離れた位置に、ユーザが押すための第２被押圧部４３Ｂを有している。この例では、第２被押圧部４３Ｂは第２延伸部４２Ｂの左端部に位置し、ユーザによって後方に押される。第２被押圧部４３Ｂが押されたときに第２延伸部４２Ｂは湾曲し、第２被押圧部４３Ｂは第２延伸部４２Ｂの弾性力により初期位置に向けて付勢される。
【００２２】
第２被押圧部４３Ｂの後側には、第２被押圧部４３Ｂによって押されて、電子機器１に対して予め規定された動きをさせる部材が配置されている。この例では、図２に示すように、第２被押圧部４３Ｂの後側には、カバー１１を開くための上述した作動部材３が配置されている。作動部材３は第２被押圧部４３Ｂによって後方に押され、その結果、カバー１１は閉位置から開位置に移動する。なお、第２被押圧部４３Ｂと作動部材３との間にも、第２被押圧部４３Ｂを初期位置に戻すためのばねやゴムなど、操作バー４０とは別の弾性体は設けられていない。
【００２３】
上述したように、操作バー４０は電子機器１の最前部に配置されており、操作バー４０の前面の全体は電子機器１の外面において露出している。すなわち、被支持部４１、延伸部４２Ａ，４２Ｂ、及び被押圧部４３Ａ，４３Ｂは電子機器１の外面において露出し、電子機器１の外観を装飾する部材としても機能している。
【００２４】
図２に示すように、第１被押圧部４３Ａは電子機器１の端部（この例では右端部）に位置している。第２被押圧部４３Ｂは電子機器１の上部１Ａの左右方向の略中央部に位置している。すなわち、操作バー４０は、左右方向における上部１Ａの概ね半分長さを有し、上部１Ａの最前部の右半分に配置されている。図１に示すように、上部１Ａの最前部の左半分には装飾バー５が配置され、装飾バー５と操作バー４０は共通の直線上で並んでいる。これにより、電子機器１の最前部のデザインの統一性を図ることができている。
【００２５】
この例の第１延伸部４２Ａと第２延伸部４２Ｂは、互いに異なる長さを有している。第１延伸部４２Ａと第２延伸部４２Ｂの長さをそれぞれ調整することで、第１被押圧部４３Ａを押すのに要する力と第２被押圧部４３Ｂを押すのに要する力と調整できる。この例では、第２延伸部４２Ｂは第１延伸部４２Ａに比して長い。換言すると、被支持部４１から第１被押圧部４３Ａまでの距離は、被支持部４１から第２被押圧部４３Ｂまでの距離より大きい。そのため、第２被押圧部４３Ｂは、第１被押圧部４３Ａに比して、小さな力で押すことができる。
【００２６】
操作バー４０は、上述したように、上ハウジング２１の前縁と下ハウジング２２の前縁との間に配置されている。図３及び図８に示すように、下ハウジング２２は、その前縁に、ストッパ部２５を有している。ストッパ部２５は第１延伸部４２Ａと第２延伸部４２Ｂに沿って形成され、それらの前方への動きを規制している。この例のストッパ部２５は上方に突出する凸部である。一方、延伸部４２Ａ，４２Ｂのそれぞれは被ストッパ部４５を有している（図５及び図８参照）。被ストッパ部４５は、操作バー４０の下面から突出するとともに延伸部４２Ａ，４２Ｂに沿って伸びる凸部であり、ストッパ部２５の後側に位置している（図８参照）。被押圧部４３Ａ，４３Ｂが初期位置にあるとき、すなわち延伸部４２Ａ，４２Ｂが湾曲していないとき、ストッパ部２５は被ストッパ部４５に接している。ストッパ部２５は、第１被押圧部４３Ａが押されたときに操作バー４０に作用するモーメントにより第２延伸部４２Ｂが前方に動くのを抑える。同様に、ストッパ部２５は、第２被押圧部４３Ｂが押されたときに第１延伸部４２Ａが前方に動くのを抑える。すなわち、ストッパ部２５は、被支持部４１に対して一方側に位置する延伸部の被押圧部が押されたときに、他方側に位置する延伸部の動きを規制する。なお、後において説明する操作バー４０の取り付け作業を容易にするために、被ストッパ部４５とストッパ部２５の少なくとも一方は、被支持部４１に対応する部分には形成されていない。この例では、被ストッパ部４５は被支持部４１には形成されていない（図５参照）。
【００２７】
図３に示すように、下ハウジング２２は、延伸部４２Ａ，４２Ｂの後側に位置し延伸部４２Ａ，４２Ｂに沿って形成された壁部２６ａ，２６ｂを有している。延伸部４２Ａ，４２Ｂは、壁部２６ａ，２６ｂによって、上下方向及び左右方向の動きが規制されている。この例では、延伸部４２Ａ，４２Ｂのそれぞれは、その後面から突出する複数（この例では２つ）の突出部４２ｃを有している。壁部２６ａ，２６ｂには突出部４２ｃに対応したサイズの穴２６ｃが形成され、各突出部４２ｃは穴２６ｃに嵌っている。壁部２６ａ，２６ｂは、それぞれ延伸部４２Ａ，４２Ｂから後方に離れて位置している。これにより、延伸部４２Ａ，４２Ｂの後方への弾性変形を許容し、それらの上下方向及び左右方向の動きを規制できている。
【００２８】
図３に示すように、下ハウジング２２は、上方に突出し且つ左右方向（延伸部４２Ａ，４２Ｂの延伸方向）において間隔を空けて配置された複数（この例では５つ）のリブ２６ｄを有している。この例のリブ２６ｄは壁部２６ａ，２６ｂの前面に位置している。リブ２６ｄは延伸部４２Ａ，４２Ｂの下側に位置し、それらを支持している。延伸部４２Ａ，４２Ｂの下面はリブ２６ｄ以外の部分には接していない。これにより、延伸部４２Ａ，４２Ｂの下面と下ハウジング２２との接触面積が低減され、延伸部４２Ａ，４２Ｂが後方に湾曲し易くなっている。
【００２９】
図３に示すように、下ハウジング２２は、被支持部４１の後側に位置する２つの支持壁部２３ａ，２３ｂを有している。この例の支持壁部２３ａ，２３ｂはそれぞれ壁部２６ａ，２６ｂに繋がっている。支持壁部２３ａ，２３ｂは被支持部４１の後面に接し、被支持部４１の後方への動きを規制している。これにより、延伸部４２Ａ，４２Ｂが湾曲するとき、被支持部４１は固定点として機能する。
【００３０】
図３に示すように、操作バー４０は、被支持部４１から後方に延びる取付部４１ａを有している。支持壁部２３ａ，２３ｂは間隔を空けて配置され、取付部４１ａは支持壁部２３ａ，２３ｂの間に配置されている（図２参照）。これにより、被支持部４１の左右方向での動きが抑えられている。
【００３１】
図２に示すように、支持壁部２３ａはその側面が左右方向に向くように配置され、被支持部４１は支持壁部２３ａの前縁に当っている。支持壁部２３ｂは支持壁部２３ａと対向する第１壁部２３ｃを有し、被支持部４１は第１壁部２３ｃの前縁に当っている。これにより、被支持部４１から受ける力に対する支持壁部２３ａ，２３ｂの強度を増すことができる。支持壁部２３ｂは平面視で略Ｌ字状であり、第１壁部２３ｃに対して屈曲した第２壁部２３ｄを有している。第２壁部２３ｄの後側には当該第２壁部２３ｄを補強するためのリブ２３ｅが形成されている。
【００３２】
下ハウジング２２は、図３に示すように、保持部２４ａ，２４ｂを有している。保持部２４ａ，２４ｂはそれぞれ支持壁部２３ａ，２３ｂの後側に形成され、取付部４１ａの端部を保持している。これにより、被押圧部４３Ａ，４３Ｂの一方が押されたときに、操作バー４０の回転を抑えることが可能となる。この例では、保持部２４ａ，２４ｂは左右方向において対向し、取付部４１ａを挟んでいる。また、保持部２４ａ，２４ｂのそれぞれは、取付部４１ａの縁を上下方向において挟んでいる。詳細には、保持部２４ａ，２４ｂのそれぞれには、取付部４１ａの上側に位置する上凸部２４ｃと、取付部４１ａの下側に位置する下凸部２４ｄとが形成されている。上凸部２４ｃと下凸部２４ｄは取付部４１ａの縁を挟んでいる。
【００３３】
図９乃至図１１は操作バー４０の下ハウジング２２への取り付け工程を説明するための図である。これらの図において、（ａ）は、取り付け過程における図６のａ−ａ線での断面図であり、（ｂ）は図６のｂ−ｂ線での断面図であり、（ｃ）は図６のｃ−ｃ線での断面図である。
【００３４】
まず、図９に示すように、操作バー４０を支持壁部２３ａ，２３ｂ及び壁部２６ａ，２６ｂに対して斜めに配置する。このとき、同図（ｃ）に示すように、突出部４２ｃを壁部２６ａ，２６ｂに形成された穴２６ｃの位置に合わせる。また、同図（ｂ）に示すように、操作バー４０の取付部４１ａを、下ハウジング２２の保持部２４ａ，２４ｂに形成された下凸部２４ｄよりも下側に配置する。
【００３５】
次に、操作バー４０の延伸部４２Ａ，４２Ｂを後方に湾曲させる。すなわち操作バー４０を弓状に湾曲させる。それと同時に、被支持部４１を支持壁部２３ａ，２３ｂに突き当てた状態で、操作バー４０を回転させて水平姿勢に配置する。その結果、図１０（ａ）に示すように、被支持部４１の後面は支持壁部２３ａ，２３ｂに当る。また、操作バー４０が弓状に湾曲しているので、図１０（ｃ）に示すように、突出部４２ｃは壁部２６ａ，２６ｂの穴２６ｃに嵌り、延伸部４２Ａ，４２Ｂの後縁は、延伸部４２Ａ，４２Ｂの通常位置よりも壁部２６ａ，２６ｂに近づく。上述したように、延伸部４２Ａ，４２Ｂの下面には被ストッパ部４５が形成され、下ハウジング２２の前縁にはストッパ部２５が形成されている。しかしながら、操作バー４０を回転させる過程では操作バー４０を湾曲させているので、被ストッパ部４５とストッパ部２５との干渉を避けることができる。また、被ストッパ部４５は被支持部４１には形成されていない。そのため、操作バー４０を回転させる過程で、被支持部４１とストッパ部２５は干渉しない。なお、図１０（ｂ）に示すように、操作バー４０を水平姿勢に配置することにより、取付部４１ａは下凸部２４ｄを乗り越え、上凸部２４ｃと下凸部２４ｄとの間に挟まれる。また、取付部４１ａの後端に形成された凸部４１ｂは、保持部２４ａ，２４ｂの上凸部２４ｃに引っ掛かる。下凸部２４ｄには、取付部４１ａが下凸部２４ｄを乗り越えることができるように、斜め下方に向いた斜面が形成されている。
【００３６】
最後に、操作バー４０を湾曲させた状態から復帰させる。すなわち、操作バー４０を直線形状に戻す。これにより、図１１（ｃ）に示すように、被ストッパ部４５はストッパ部２５に当る。
【００３７】
以上説明したように、操作バー４０は被支持部４１と、被支持部４１から延伸し且つ弾性変形可能な片持ち梁状の延伸部４２Ａ，４２Ｂとを有している。延伸部４２Ａ，４２Ｂは、ユーザが押すための被押圧部４３Ａ，４３Ｂを有している。第１被押圧部４３Ａは、第１延伸部４２Ａにおける被支持部４１から離れた位置に位置し、第１被押圧部４３Ａが後方に押されたときに第１延伸部４２Ａの弾性力により初期位置に向けて付勢される。第２被押圧部４３Ｂは、第２延伸部４２Ｂにおける被支持部４１から離れた位置に位置し、第２被押圧部４３Ｂが後方に押されたときに第２延伸部４２Ｂの弾性力により初期位置に向けて付勢される。第１被押圧部４３Ａの後側には、第１被押圧部４３Ａによって押されて電子機器１に対して予め規定された動きをさせる回路基板４が配置され、第２被押圧部４３Ｂの後側には、第２被押圧部４３Ｂによって押されて電子機器１に対して予め規定された動きをさせる作動部材３が配置されている。この構造によれば、第１被押圧部４３Ａ，４３Ｂを前方に戻すためのばねなどの部材が必要とされないため、電子機器１の構造を簡素化できる。
【００３８】
延伸部４２Ａ，４２Ｂと被支持部４１は電子機器１の外面において露出している。これによれば、操作バー４０を電子機器１の外観を装飾する部材として利用でき、デザインの自由度を増すことができる。
【００３９】
また、操作バー４０は２つの延伸部４２Ａ，４２Ｂを含み、且つ、２つの被押圧部４３Ａ，４３Ｂを含んでいる。これによれば、さらに部品数を低減できる。
【００４０】
２つの延伸部４２Ａ，４２Ｂは被支持部４１から互いに反対方向に延びている。電子機器１は、２つの延伸部４２Ａ，４２Ｂに沿って形成され、これらの前方への動きを規制するストッパ部２５を有している。これによれば、第１被押圧部４３Ａを押した時に操作バー４０が受けるモーメントにより、第２延伸部４２Ｂが前方に動くことを抑えることができる。また、第２被押圧部４３Ｂを押した時に操作バー４０が受けるモーメントにより、第１延伸部４２Ａが前方に動くことを抑えることができる。
【００４１】
延伸部４２Ａ，４２Ｂは後方に突出する突出部４２ｃを有している。延伸部４２Ａ，４２Ｂの後方には、突出部４２ｃが嵌る穴２６ｃが形成され、且つ延伸部４２Ａ，４２Ｂから離れて位置する壁部２６ａ，２６が配置されている。これによれば、延伸部４２Ａ，４２Ｂの後方への弾性変形を許容しながら、それらの上下方向及び左右方向の動きを規制できる。
【００４２】
被支持部４１の後側には、被支持部４１の後方への動きを規制する支持壁部２３ａ，２３ｂが形成されている。操作バー４０は、延伸部４２Ａ，４２Ｂから下方に突出する被ストッパ部４５を有している。被ストッパ部４５の前側には、延伸部４２Ａ，４２Ｂの前方への動きを規制するストッパ部２５が形成されている。被ストッパ部４５は被支持部４１には形成されていない。この構造によれば、図９乃至図１１を参照して説明したように、操作バー４０を湾曲させながら回転させることで、操作バー４０を下ハウジング２２に取り付けることができる。
【００４３】
なお、本発明は以上説明した電子機器１に限られず、種々の変更が可能である。
【００４４】
例えば、操作バー４０は第１延伸部４２Ａと第２延伸部４２Ｂのいずれか一方だけを有してもよい。
【００４５】
また、第２延伸部４２Ｂは第１延伸部４２Ａに対して斜めの方向に延びてもよい。
【００４６】
また、操作バー４０は上ハウジング２１に取り付けられてもよい。
【００４７】
また、被ストッパ部４５である凸部は延伸部４２Ａ，４２Ｂだけでなく、被支持部４１にも形成されもよい。この場合、延伸部４２Ａ，４２Ｂに対応する部分にのみストッパ部２５が形成され、被支持部４１に対応する部分にストッパ部２５が形成されなくてもよい。
【００４８】
また、操作バー４０の下ハウジング２２へ取付構造は適宜変更されてよい。例えば、螺子を利用して操作バー４０の被支持部４１は下ハウジング２２に取り付けられてもよい。
【００４９】
また、操作バー４０は電子機器１の最前部でなく、他の部分の設けられてもよい。
【００５０】
また、操作バー４０は、被支持部４１が電子機器１の外面において露出しないように形成されてもよい。
【符号の説明】
【００５１】
１  電子機器、３  作動部材、４  回路基板、４ａ  スイッチ、５  装飾バー、１１  カバー、２０ハウジング、２１  上ハウジング、２１ａ  ディスク収容部、２２  下ハウジング、２３ａ，２３ｂ  支持壁部、２３ｃ  壁部、２４ａ，２４ｂ  保持部、２５  ストッパ部、２６ａ，２６ｂ  壁部、４０  操作バー、４１  被支持部、４１ａ  取付部、４２Ａ，４２Ｂ  延伸部、４３Ａ，４３Ｂ  被押圧部、４３ａ  スイッチ、４３ｃ  導光路、４３ｅ  保持部、４４  導光部材、４５  被ストッパ部。
【図１】
2013222774.tif 000003
【図２】
2013222774.tif 000004
【図３】
2013222774.tif 000005
【図４】
2013222774.tif 000006
【図５】
2013222774.tif 000007
【図６】
2013222774.tif 000008
【図７】
2013222774.tif 000009
【図８】
2013222774.tif 000010
【図９】
2013222774.tif 000011
【図１０】
2013222774.tif 000012
【図１１】
2013222774.tif 000013